(57)【特許請求の範囲】
【請求項１】
着用者の耳下位置から後ろ側に配置される部位である半衿中央部と該耳下位置から前方胸元側に配置される部位である半衿端部とを有し、和服用の下着である襦袢衿部に装着する平面形状の半衿であって、
前記半衿中央部において、着用時外側となる部位の下端部長手方向の長さが着用時内側となる部位の下端部長手方向の長さより、着用時における該半衿中央部の厚さに円周率πを乗じた分だけ長く、該外側となる部位が凸となる湾曲形状であり、
各前記半衿端部が、湾曲形状を成さず、前記半衿中央部との接続部位と前記半衿端部の終端部位とが平行であって、前記半衿端部の中央に位置する折り山線を軸に線対称となる台形形状を成し、
前記半衿端部の折り山線の向きと、前記半衿中央部と前記半衿端部との接続部位における前記半衿中央部の折り山線の向きとが同一方向であり、前記半衿端部の折り山線及び前記半衿端部との接続部位における前記半衿中央部の折り山線が該接続部位において境界線と直角に交わり、当該半衿全体として、着用時外側となる部位の下端部の長さが着用時内側となる部位の下端部の長さよりも長い、弓形に反った形状であることを特徴とする半衿。
【請求項２】
前記半衿中央部の短手方向略中央に位置し折り山となる部位の長手方向の長さが、前記内側となる部位の下端部長手方向の長さより、前記着用時における半衿中央部の厚さに円周率πを乗じたものに二分の一を乗じた分だけ長いことを特徴とする請求項１に記載の半衿。
【請求項３】
外形状が左右対称であることを特徴とする請求項１又は２に記載の半衿。
【請求項４】
前記半衿中央部及び前記半衿端部において、着用時に外側となる部位の裏側下端部にのみ、一様に面ファスナー雄部を設置し、
前記面ファスナー雄部と、前記襦袢衿部の外側根元部に設置した面ファスナー雌部とが係止可能に構成されることを特徴とする請求項１乃至３の何れか一に記載の半衿。
【請求項５】
前記着用時における半衿中央部の厚さが、前記襦袢の厚み、前記面ファスナー雄部及び雌部の厚み、当該半衿を構成する衿芯の厚み並びに当該半衿を構成する表地の厚みに基づき算出したものであることを特徴とする請求項４に記載の半衿。
【発明の詳細な説明】
【技術分野】
【０００１】
和服用の下着である襦袢の衿部に装着する半衿の技術に関する。
【背景技術】
【０００２】
半衿とは、和服用の下着である襦袢に縫い付ける替え衿のことであり、襦袢を埃、皮脂、整髪料などから保護する役割を果たし、汚れた場合には、取り外して洗濯すれば何度でも使用可能である。また、半衿は、顔に近い部位に身に付け、着用時、外部から視認可能でもあり、また、色・柄などの装飾のバリエーションも多いため、和服を着こなす重要なポイントとなっている。
【０００３】
上記したように、半衿は、着用者の見栄えの良し悪しを左右するファッションアイテムであるという側面を有するため、着用時の見栄えを良くするための半衿について盛んに開発が行われている。
【０００４】
例えば、和服を着用したとき、半衿の首後ろ部分に皺が寄ってしまい、着用時の見栄えが悪いという問題点がある。これに対し特許文献１では、芯材と半衿との衿肩周りにおいて、内輪差によって生ずる皺を無くすことができるとし、特許文献２及び３には、長手方向の上下辺が湾曲形状を成す半衿が記載されている。
【先行技術文献】
【特許文献】
【０００５】
【特許文献１】実開昭５９−１４５５０３号
【特許文献２】実開昭５５−１３９８０号
【特許文献３】特開２０１３−７６１９１号
【発明の概要】
【発明が解決しようとする課題】
【０００６】
ここで、和服を着用したとき、半衿の首後ろ部分に皺ができる原因は、着用時の半衿が首回りに形成する半円筒の首回り方向の内外周差を皺で調整していることにあるものと考えられる。
【０００７】
このように考えると、特許文献１に記載の技術では、半衿長手方向の上下辺の長さが同じであるため、上記した内外周差を原因とする首後ろ付近の皺の発生を防止することはできないという問題点がある。つまり、特許文献１に記載の技術では、着用時、半衿の首後ろ部分に皺が寄ってしまい、着用時の見栄えの悪さは解消されていないものと考えられる。
【０００８】
また、特許文献２及び３には、半衿の長手方向の上下辺をどの程度湾曲させれば良いのかについての具体的な記載が無く、上記した内外周差を原因とする首後ろ付近の皺を発生させない半衿の作成ができないという問題点がある。
【０００９】
そこで本発明では、上記問題点に鑑み、着用時に半衿の首後ろ部分に皺が生じないため、見栄えが良く、作成方法が明確である半衿を提供することを目的とする。
【課題を解決するための手段】
【００１０】
開示する半衿の一形態は、着用者の耳下位置から後ろ側に配置される部位である半衿中央部と該耳下位置から前方胸元側に配置される部位である半衿端部とを有し、和服用の下着である襦袢衿部に装着する平面形状の半衿であって、前記半衿中央部において、着用時外側となる部位の下端部長手方向の長さが着用時内側となる部位の下端部長手方向の長さより、着用時における該半衿中央部の厚さに円周率πを乗じた分だけ長く、該外側となる部位が凸となる湾曲形状であることを特徴とする。
【００１１】
さらに開示する半衿の一形態は、上記構成に加え、前記半衿中央部の短手方向略中央に位置し折り山となる部位の長手方向の長さが、前記内側となる部位の下端部長手方向の長さより、前記着用時における半衿中央部の厚さに円周率πを乗じたものに二分の一を乗じた分だけ長いことを特徴とする。
さらに開示する半衿の一形態は、上記構成に加え、外形状が左右対称であることを特徴とする。
【００１２】
さらに開示する半衿の一形態は、上記構成に加え、前記半衿中央部及び前記半衿端部において、着用時に外側となる部位の裏側下端部にのみ、一様に面ファスナー雄部を設置し、前記面ファスナー雄部と、前記襦袢衿部の外側根元部に設置した面ファスナー雌部とが係止可能に構成されることを特徴とする。
【００１３】
さらに開示する半衿の一形態は、上記構成に加え、前記着用時における半衿中央部の厚さが、前記襦袢の厚み、前記面ファスナー雄部及び雌部の厚み、当該半衿を構成する衿芯の厚み並びに当該半衿を構成する表地の厚みに基づき算出したものであることを特徴とする。
【発明の効果】
【００１４】
開示する半衿は、着用時に半衿の首後ろ部分に皺が生じないため、見栄えが良く、作成方法が明確である。
【図面の簡単な説明】
【００１５】
【図１】本実施の形態に係る半衿及び襦袢の全体概要を示す図である。
【図２】（ａ）本実施の形態に係る半衿の短手方向断面図である。（ｂ）本実施の形態に係る襦袢衿部の短手方向断面図である。
【図３】本実施の形態に係る半衿を襦袢に装着させたときの短手方向断面図である。
【図４】本実施の形態に係る半衿の着用時形状を模式的に示す図である。
【図５】（ａ）本実施の形態に係る半衿の平面図である。（ｂ）本実施の形態に係る半衿の底面図である。
【図６】本実施の形態に係る半衿の着用時の様子を示す図である。
【図７】本実施の形態に係る半衿（衿芯）の作成例を示す図（片側半分）である。
【図８】本実施の形態に係る半衿（衿芯）を複数の布を使用して作成する例を示す図である。
【発明を実施するための形態】
【００１６】
図面を参照しながら、本発明を実施するための形態について説明する。
（本実施の形態に係る半衿の構造）
【００１７】
図１乃至８を用いて、本実施の形態に係る半衿１の構造について説明する。図１で示すように、半衿１は、和服用の下着である襦袢３８の衿部４０に装着して使用する替え衿である。
【００１８】
図２及び３を用いて、半衿１の内部構造について説明する。図２（ａ）は、半衿１の短手方向の断面図であり、図２（ｂ）は、襦袢衿部４０の短手方向の断面図である。また、図３は、半衿１を襦袢衿部４０へ装着したときの短手方向の断面図を示している。
【００１９】
図２（ａ）で示すように、半衿１は、半衿１の形状を保つための衿芯３４を中心に設置し、衿芯３４の周囲かつ表面に半衿の表地３６を被せて、両者を縫い合わせる。図２（ａ）では、表地３６の縫い代が裏面端部に及んでいる様子を示している。また、衿芯３４は、手で縫いとめる芯地を使用しても、接着する形態の接着芯を使用してもどちらでも良い。
【００２０】
さらに、襦袢衿部４０へ装着したとき、半衿１の外側となる部位４の下端部８の裏側には、襦袢衿部４０に係止するための面ファスナー雄部３０が設置される。また、図１で示すように、面ファスナー雄部３０は、着用時、外側となる部位の下端部８の裏側の周囲に、一様に設置される。
【００２１】
図１及び図２（ｂ）で示すように、襦袢３８は、衿部４０の外側根元部４２の周囲に、一様に、面ファスナー雌部３２が設置されるが、それ以外については一般的な襦袢と何ら変わるところは無い。
【００２２】
図３で示すように、半衿１は、半衿１の略中央に位置する折り山２８で二つに折り、面ファスナーの雄部３０と雌部３２とを係止させることによって、襦袢衿部４０に装着する。半衿１は、着用時に外側となる部位４でのみ襦袢衿部４０と係止されことにより、なるべく面ファスナーの厚みを着姿に影響させないという効果を奏する。また、半衿１は、この構成に基づき、着用時に内側となる部位６が解放されているため、着用者４４の体型に応じ適合させることができるという効果も奏する。
【００２３】
図４は、着用時の半衿１の形状を模式的に示した図であり、図５は、半衿１の表面・裏面をそれぞれ示す図であり、図６は、半衿１の着用時の様子を示す図である。図４及び５で示すように、半衿１は、半衿中央部２、半衿端部１８を有する。
【００２４】
図４乃至６で示すように、半衿中央部２は、半衿１の中央に位置し、半衿１の着用者４４の耳下位置２０から後ろ側２４に配置される部位である。半衿端部１８は、半衿中央部２よりも先端両側に位置し、着用者４４の耳下位置２０から前方胸元側２６に配置される部位である。
【００２５】
半衿１は、従来の半衿を着用したときに、着用者４４の首後ろ付近に現れる皺を生じさせないことにより、着用時の見栄えを改善させる。ここで、従来の半衿を着用したとき、首後ろ部分に皺が現れる原因について考察する。
【００２６】
図４及び６で示すように、半衿１は、着用時、耳下位置２０より後ろ側２４において、立った状態が維持され、耳下位置２０より後ろ側２４の半衿１の形状は、略半円筒形状となる。一方で、従来の半衿は、長手方向の上下辺の長さを同じくする方形状であり、この半衿が着用時、耳下位置２０より後ろ側２４において略半円筒１２を形成する共に、長さを同じくする部位の一方が半円筒１２の外側を構成し、他方が半円筒１２の内側を構成する。
【００２７】
そうすると、本来、半円筒１２の外側と内側では周差があるにも関わらず、従来の半衿では半円筒１２の外側と内側の生地の長さが同じであり、この内外周差を解消させるため、周長が短い半円筒１２の内側に皺ができるものと考えられる。
【００２８】
そこで、半衿１は、着用時に、着用者４４の首後ろ部分に形成される半円筒１２の外側と内側の周差を考慮し、半円筒１２の外側となる部位の長さと内側となる部位の長さに所定の差を設けることにより、上記の内外周差を解消させ、首後ろ部分内側の皺の発生を防止する。ここで、半円筒１２の外側部位の長さは「円周率π×外側部位断面である半円１４の半径Ｒ」であり、内側部位の長さは「円周率π×内側部位断面である半円１６の半径ｒ（Ｒ＞ｒ）」であるので、内外部位の長さの差は「円周率π×（半径Ｒ−半径ｒ）」となる。
【００２９】
なお、「半径Ｒ−半径ｒ」は、着用時の半衿１の厚さＴであるため、半円筒１２の外側部位の長さと内側部位の長さとの差は、着用時の半衿１の厚さＴに円周率πを乗じたもの、つまり、襦袢衿部４０及び半衿１の厚さに円周率πを乗じることによって定められる。図３で示すように、着用時の半衿１の厚さＴとは、襦袢衿部４０、面ファスナー雄雌部３０、３２、衿芯３４及び半衿１の表地３６それぞれの厚みを加算した値である。なお、厚さＴは、内部に形成される空間（空気の層）の厚みを考慮しても良い。
【００３０】
このように、半衿１は、着用時に外側となる部位４の長さと内側となる部位６の長さに、着用時の半衿１の厚さＴに円周率πを乗じたものに基づく差を設けた形状とすることによって、着用者４４の首後ろ部分内側に皺を発生させない。
【００３１】
なお、半衿１は、アイロン掛けや収納時などの取り扱いを容易にするため、平面的な形状とする。そのため、半衿１は、着用時に外側となる部位４の下端部８の長さと内側となる部位６の下端部１０の長さに、着用時の半衿１の厚さＴに円周率πを乗じたものに基づく差を設けた形状とすることによって、着用者４４の首後ろ部分内側に皺を発生させない構成である。
【００３２】
ところで半衿１において、耳下位置２０より前方胸元側２６の部位は、着用時には寝かされた状態が維持され、着用者４４の首後ろ付近に現れる皺の発生には影響を及ぼさないものと考えられる。そのため半衿１において、耳下位置２０より前方胸元側２６の部位の外形状は、従来の半衿と同様である。
【００３３】
次に、図７を用いて、半衿１の作成方法について説明する。なお、図５で示すように、半衿１は、左右対称の形状であるため、ここでは、半衿１の右半分の作成方法について説明する。また、半衿１は、衿芯３４に表地３６を縫い付けたり、接着させたりすることで作成するため、ここでは、半衿１の形状の基礎となる衿芯３４の作成方法について説明する。
【００３４】
図７で示すように、芯地上の背中心２２となる位置に、直線ａｂｃを引き、さらに、直線ａｂｃに直交する方向へ、直線Ａ、Ｂ、Ｃを等間隔に引く。直線Ａ、Ｂ、Ｃの間隔は、背中心２２における半衿の高さ（衿幅）であり、例えば、５ｃｍである。なお、線分ａｂは、着用時に内側となる部位６であり、線分ｂｃは着用時に外側となる部位４である。
【００３５】
ここでは、着用時の半衿１が形成する半円筒１２の外側部位下端部８と内側部位下端部１０との長さの差を、片側２箇所（両側であれば４箇所）で調整する。つまり、１箇所当たりの調整する長さは、「着用時の半衿１の厚さＴに円周率πを乗じたもの÷調整箇所数」となり、本説明における１箇所当たりの調整する長さは、πＴ／４（以下、「ｔ」と表記する。）となる。
【００３６】
直線Ｃ上で、点ｃから長さｔだけ右へ移動した位置に点ｅを設け、線分ａｅと直線Ｂとの交点ｄを設ける。次に、芯地上に、線分ａｄ・ｄｇ、線分ｄｅ・ｅｈを隣り合う二辺とする長方形ａｂｇｆ、ｄｅｈｇを作成する。なお、線分ｄｇ、ｅｈの長さは、「半衿中央部２の長手方向の長さＬ（自由に設定可能）÷調整箇所数」、つまり、Ｌ／４であり、例えば、Ｌは、３０ｃｍである。
【００３７】
次に、直線ｅｈ上で、点ｈから長さｔだけ右下へ移動した位置に点ｊを設け、線分ｆｊと直線ｄｇとの交点ｉを設ける。次に、芯地上に、線分ｆｉ・ｉｌ、線分ｉｊ・ｊｍを隣り合う二辺とする長方形ｆｉｌｋ、ｉｊｍｌを作成する。なお、線分ｉｌ、ｊｍの長さは、Ｌ／４である。
【００３８】
さらに、点ｌから半衿端部１８の長さの分だけ直線ｉｌを延ばした位置に点ｐを設け、点ｐにおいて直線ｉｌに直交する直線ｏｑを引く。ここで、線分ｏｐ、ｐｑの長さは、半衿１（半衿端部１８）の終端部の衿幅であり、例えば、８ｃｍとする。なお、半衿端部１８の長さは、自由に設定可能であり、例えば、５５ｃｍとする。
【００３９】
上記のようにして芯地上に作図された点ａｂｃｅｈｊｍｑｐｏｋｆを結んだ部分が、衿芯３４の右側半分の形状である。そして、点ａｂｄｇｉｌｐｏｋｆを結んだ部分が、着用時に内側となる部位６であり、点ｂｃｅｈｊｍｑｐｌｉｇｄを結んだ部分が、着用時に外側となる部位４である。なお、点ｂｄｇｉｌｐを結んだ部分は半衿１の折り山線２８である。
【００４０】
半衿１は、上記の衿芯３４に基づき作成し、着用時、半衿１が首後ろ部分に形成する半円筒１２の外側部位下端部８の長さと内側部位下端部１０の長さとの差を、着用時の半衿１の厚さＴに円周率πを乗じたものとすることによって、半衿１は、着用者４４の首後ろ部分内側に皺を発生させない。
【００４１】
なお、上記の方法で作成した衿芯３４（半衿１）について、輪郭が直線点となり不都合（不格好）な場合は、２点間（例えば、線分ａｆ、ｄｇ、ｅｈ、ｆｋ、ｉｌ、ｊｍなど）を滑らかな曲線に適宜修正しても良い。そのとき、着用時、半衿１が形成する半円筒１２の外側となる部位４が凸となるように修正することが好適である。
【００４２】
また、上で説明した衿芯３４（半衿１）の作成方法は、片側２箇所（両側４箇所）で厚さＴを調整する方法であったが、この調整箇所数は、片側１箇所以上（両側の調整箇所数は片側調整箇所数の２倍となる。）で自由に設定することができる。
【００４３】
図８で示すように、半衿１（衿芯３４、表地３６）は、着用時に外部から視認可能な半衿中央部２には、外部から見えても支障のない布地を使用し、外部から見えない半衿端部１８には余った布地などを使用し、それぞれの布を接いで作成する形態としても良い。また、半衿１（衿芯３４、表地３６）は、湾曲形状を成すため、広幅の布を使用して作成しても良い。
【００４４】
なお、半衿１は、面ファスナー雄部３０を、襦袢衿部４０が備える面ファスナー雌部３２に係止させて使用する。そして、半衿１を装着した襦袢３８は、通常の襦袢と同じように着用することができる。
【００４５】
また、半衿１は、着用者４４の首後ろ周辺において自立できるように、腰の強い衿芯３４の芯地又は表地３６を使用するか、首後ろ周辺を補強布で補強する構成とすることが好適である。
（総括）
【００４６】
半衿１は、着用時、半円筒１２において外側となる部位の下端部８と内側となる部位の下端部１０との長さの差を、着用時の半衿１の厚さＴに円周率πを乗じたものとし、着用者４４の首後ろ部分に皺を発生させないため、着用時の見栄えが良い。
半衿１は、平面的な形状であるため、アイロン掛け、収納時の取り扱いが容易である。
半衿１は、従来の半衿が強いられる、襦袢３８への縫い付け作業及び縫い付けた糸を解く作業の負担を軽減させ、着脱作業を容易にする。
半衿１は、襦袢３８へ面ファスナー雄雌部３０、３２を介して片側で装着されるため、着用者４４毎の体型の差異を補うことができる。
【００４７】
半衿１は、襦袢衿部４０に使用する布の厚みによって、着用時に外側となる部位の下端部８の長さが変化するところ、面ファスナー雄雌部３０、３２を介して片側で係止される構成であるため、布の厚みが異なる襦袢衿部４０にも装着可能であり、汎用性が高い。
【００４８】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４９】
１  半衿、２  半衿中央部、４  着用時に外側となる部位、６  着用時に内側となる部位、８  着用時に外側となる部位の下端部、１０  着用時に内側となる部位の下端部、１２  半衿中央部が形成する半円筒、１４  断面外側半円、１６  断面内側半円、１８  半衿端部、２０  耳下位置、２２  背中心、２４  後ろ側、２６  前方胸元側、２８  折り山、３０  面ファスナー雄部、３２  面ファスナー雌部、３４  衿芯、３６  半衿の表地、３８  襦袢、４０  襦袢衿部、４２  襦袢衿部の外側根元部、４４  着用者、Ｔ  半衿１の厚さ、Ｌ  半衿中央部２の長手方向の長さ
【要約】
【課題】
開示の半衿は、着用時に半衿の首後ろ部分に皺が生じないため、見栄えが良く、作成方法が明確である。
【解決手段】
開示の半衿は、和服用の下着である襦袢衿部に装着し、着用者の耳下位置から後ろ側に配置される部位である半衿中央部と該耳下位置から前方胸元側に配置される部位である半衿端部とを有する平面形状の半衿であって、前記半衿中央部において、着用時外側となる部位の下端部長手方向の長さが着用時内側となる部位の下端部長手方向の長さより、該半衿中央部で形成する半円柱の断面で該外側となる部位が成す外側半円周の長さと該内側となる部位が成す内側半円周の長さとの差の分だけ長く、該外側となる部位が凸となる湾曲形状であることを特徴とする。
【選択図】図５【図１】
0005552189.tif 000002
【図２】
0005552189.tif 000003
【図３】
0005552189.tif 000004
【図４】
0005552189.tif 000005
【図５】
0005552189.tif 000006
【図６】
0005552189.tif 000007
【図７】
0005552189.tif 000008
【図８】
0005552189.tif 000009